(57)【特許請求の範囲】
【請求項１】
フィルタチャンバー内にフィルタを出し入れ自在に保持するフィルタ支持案内機構を備え、前記フィルタ支持案内機構は、その底面に前記フィルタの挿入方向に対して左右長手のコ字状部材間に圧縮自在にばねを挟持した部材が前後２本取り付けられ、前記フィルタ支持案内機構と共にフィルタを上昇させフィルタチャンバーの天井面に設けたフィルタ装着面にフィルタの上面を押接するように、上記フィルタチャンバーの内底面に回動軸を横設し、該回動軸に対して、連結棒を介して逆方向に回動するように連結された従動軸を設け、該回動軸と、該従動軸とに偏心カムを各２個取り付け、前記偏心カムのカム面に前記コ字状部材の底面が当接するように前記フィルタ支持案内機構を載置したことを特徴とするフィルタ装着機構。
【発明の詳細な説明】
【０００１】
【産業上の利用分野】
本発明は、放射性塵埃が発生する研究施設や病院施設等に設置する排気清浄装置のフィルタチャンバー内にフィルタを装着させる機構に関する。
【０００２】
【従来の技術】
排気清浄装置には内部にフィルタを装着させるためのフィルタチャンバーが設けられており、該フィルタチャンバー内にフィルタを装着させる機構としては、例えば、実公昭５７−５７７７８号公報により、フィルタチャンバーの内側壁にフィルタを該フィルタチャンバー内に出し入れ自在に保持するフィルタ支持案内機構を固定すると共に、該フィルタ支持案内機構に保持された状態のフィルタの下面に係合するリンク機構により該フィルタを上昇させフィルタの上面をフィルタチャンバーの天井面に設けたフィルタ装着面に押接させるようにしたものが知られている。また、特開昭５７−１５３７１８号公報により、回転軸に偏心カムを取り付け、該偏心カムのカム面に接触するようにフィルタ支持案内機構を載置するようにしたものが知られている。
【０００３】
【発明が解決しようとする課題】
上記従来の機構のうち、前者は、フィルタ支持案内機構をフィルタチャンバーの内側壁に固定しなければならないが、この固定作業はフィルタチャンバー内において行わなければならず、フィルタチャンバーの内部スペースが限られているため、極めて作業性の悪いものであり、固定作業に多くの時間を要するという不具合がある。また、フィルタを昇降させるためにフィルタの下面にリンク機構を係合させるようにしているので、フィルタの下面に補強金具等を取り付け、リンク機構が係合する部分が凹まないようにする必要がある。更には、フィルタを昇降させるためにリンク機構を用いているが、リンク機構を構成するためには複数のリンク部材が必要であり、更に部品点数が増加することになる。
また、後者は、カム上にフィルタ支持案内機構を直接載置しているので、カム面やフィルタ支持案内機構の下面が磨耗すればフィルタの昇降量が減少し、また、フィルタ交換時にフィルタの寸法のバラツキによりフィルタの昇降量が変化し、フィルタの上面をフィルタチャンバーの天井面に押し付けることができないという不具合を生じるおそれがある。
以上の問題点を解決するために、本発明は、フィルタチャンバー内にフィルタ支持案内機構を固定しなくてもよく、フィルタの下面に補強金具を取り付ける必要もなく、また、フィルタの上面を常にフィルタチャンバーの天井面に押し付けることのできるフィルタ装着機構を提供することを目的とする。
【０００４】
【課題を解決するための手段】
上記目的を達成するために、本発明は、フィルタチャンバー内にフィルタを出し入れ自在に保持するフィルタ支持案内機構を備え、前記フィルタ支持案内機構は、その底面に前記フィルタの挿入方向に対して左右長手のコ字状部材間に圧縮自在にばねを挟持した部材が前後２本取り付けられ、前記フィルタ支持案内機構と共にフィルタを上昇させフィルタチャンバーの天井面に設けたフィルタ装着面にフィルタの上面を押接するように、上記フィルタチャンバーの内底面に回動軸を横設し、該回動軸に対して、連結棒を介して逆方向に回動するように連結された従動軸を設け、該回動軸と、該従動軸とに偏心カムを各２個取り付け、前記偏心カムのカム面に前記コ字状部材の底面が当接するように前記フィルタ支持案内機構を載置したことを特徴とする。
【０００５】
【作用】
リンク機構は複数のリンク部材を必要とするが、偏心カムは複数の部材を必要とせず１個のカムだけで偏心カムを構成する。また、リンク機構を採用すればリンク機構をフィルタ支持案内機構に取り付ける作業を狭いフィルタチャンバー内で行わなければならないが、偏心カムを採用することによりフィルタ支持案内機構を単に偏心カムに載置するだけでよく、フィルタ支持案内機構をフィルタチャンバー内にセットする作業が極めて容易になる。
また、コ字状部材間に圧縮自在にばねを挟持した部材をカム面上に載置し、前記部材上にフィルタ支持枠を載置したので、ばねが縮成されることによりばねの付勢力でフィルタの上面がフィルタチャンバーの天井面に押し付けられる。
【０００６】
【実施例】
以下、図面に従い、本発明の実施例を説明する。
図１および図２を参照して、１はフィルタチャンバーであり、内部にフィルタＦを格納し、該フィルタチャンバー１の天井面に設けたフィルタ装着面１１に該フィルタＦの上面を押接させるもので、該フィルタＦはフィルタチャンバー１に対して開口窓１２を介して出し入れされる。該フィルタチャンバー１内には回動軸３に対する回動操作により昇降するフィルタ支持案内機構２が設けられており、フィルタＦは該フィルタ支持案内機構２上に載置される。該フィルタ支持案内機構２の底面にはフィルタＦの挿入方向に対して左右長手のコ字状部材２１が下方に開口するように前後２本取り付けられている。また、各コ字状部材２１の内部には上方に開口するコ字状部材２２がばね２３を挟んで嵌入されており、両コ字状部材２１・２２はピン２４によってばね２３を圧縮自在に連結されている。
【０００７】
また、該回動軸３に対して平行に設けられ、連結棒３ｂを介して逆方向に回動するように連結された従動軸３ａと回動軸３とには偏心カム３２が各２個取り付けられており、フィルタ支持案内機構２は該偏心カム３２のカム面にコ字状部材２２の底面が当接するように載置されている。尚、回動軸３および従動軸３ａは共にフィルタチャンバー１の内底面に立設されたブラケット３１により回動自在に保持され、また、該ブラケット３１の上面に立設されたガイドピン３３がフィルタ支持案内機構２に固定されたパイプ状のガイド２５に挿入されフィルタ支持案内機構２が横方向にずれないようにした。
【０００８】
上記構成によれば、まずフィルタチャンバー１の外側に突出する回動軸３の端部をレンチ等で回して偏心カム３２の最頂部が下方に位置するようにしてフィルタ支持案内機構２を下端まで下降させ、開口窓１２からフィルタＦをフィルタチャンバー１内に挿入してフィルタ支持案内機構２上に該フィルタＦを載置する。次に、開口窓１２を閉めたあと、回動軸３を回動する。すると従動軸３ａも連動して回動し、偏心カム３２がコ字状部材２２の底面を押し上げ、これによりフィルタ支持案内機構２はフィルタＦと共に上昇する。この上昇途中でフィルタＦの上面はフィルタ装着面１１に当接するが、更に回動軸３を回動させるとばね２３を圧縮しながらコ字状部材２２が上昇し、フィルタ支持案内機構２は該ばね２３の圧縮によるばね力で上方に付勢されフィルタＦの上面はフィルタ装着面１１に押接されることになる。
なお、フィルタ支持案内機構２にはフィルタＦの出し入れを容易にするためローラ等を取り付けるようにしてもよい。
【０００９】
【発明の効果】
以上述べたように、本発明によれば、フィルタ支持案内機構をフィルタチャンバーの内側壁に固定せずフィルタと共に昇降するように構成したので、フィルタ支持案内機構を該内側壁に固定する作業を省略することができ、フィルタチャンバーの組み立て工数を削減することができる。
また、ばねによる付勢力によりフィルタの上面がフィルタチャンバーの天井面に押し付けられ、両者間の気密性が確保される。
【図面の簡単な説明】
【図１】本発明の構造を示す断面図
【図２】図１におけるＩ−Ｉ断面図
【符号の説明】
１  フィルタチャンバー
２  フィルタ支持案内機構
３  回動軸
１１  フィルタ装着面
３２  偏心カム
Ｆ  フィルタ
【図１】
0003793581.tif 000002
【図２】
0003793581.tif 000003